(57)【特許請求の範囲】
【請求項１】
特許明細書作成データを入力する入力部と、
前記入力部から入力されたデータを管理するデータ管理部と、
コマーシャル情報とその属性値であるＩＰＣ（国際特許分類）のサブクラスとを対にしたＣＭ情報を１つ以上格納するＣＭ格納部と、
コマーシャル情報を抽出するルールを格納するＣＭ抽出ルール保持部と、
前記データ管理部で管理されているデータ中に含まれるＩＰＣ（国際特許分類）とＣＭ情報が有する属性値をパラメータとして入力し、前記ＣＭ抽出ルール保持部で格納されているルールを適用して前記ＣＭ格納部に格納しているコマーシャル情報を取出すＣＭ抽出部と、
前記ＣＭ抽出部で抽出したコマーシャル情報を表示するＣＭ表示部とを有することを特徴とするＣＭ表示装置。
【請求項２】
コマーシャル情報の表示を切り換えるためのルールを保持する切換ルール保持部と、前記切換ルール保持部で保持されているルールに従ってＣＭ抽出部に新たなコマーシャル情報の抽出を指示するＣＭ切換部とをさらに有することを特徴とする請求項１記載のＣＭ表示装置。
【発明の詳細な説明】
【０００１】
【発明の属する技術分野】
本発明は、データを入力する機器やソフトウェアを使用する際にコマーシャルを表示するＣＭ表示装置に関するものである。
【０００２】
【従来の技術】
従来、一般的な宣伝広告の技術として、放送やネットワークなどの媒体を利用することが挙げられる。また、ソフトウェアにコマーシャルメッセージを載せたものとしてマイクロソフト社のインターネットエキスプローラーなどのインターネットブラウザがある。このインターネットブラウザには画面上にコマーシャルを表示する技術がある。
【０００３】
【発明が解決しようとする課題】
しかしながら、このような従来の技術には、以下の課題があった。つまり、放送やネットワークを利用した宣伝広告は、費用が高いことや不特定の人が見ることになる、という点で効果が不十分であった。また、インターネットブラウザが有する画面上にコマーシャルを表示する技術は、ユーザが入力する情報に応じたコマーシャル情報を表示できない、という問題があった。
本発明は上記課題を解決するものであり、入力したデータに対応した適切な宣伝広告を選択し、表示することを目的としたものである。
【０００４】
【課題を解決するための手段】
上記課題を解決するため本発明の技術的手段は、データを入力する入力部と、入力部から入力されたデータを管理するデータ管理部と、コマーシャル情報とその属性値を対にしたＣＭ情報を１つ以上格納するＣＭ格納部と、コマーシャル情報を抽出するルールを格納するＣＭ抽出ルール保持部と、データ管理部で管理されているデータとＣＭ情報が有する属性値をパラメータとしてＣＭ抽出ルール保持部で格納されているルールを適用してＣＭ格納部に格納しているコマーシャル情報を取出すＣＭ抽出部と、ＣＭ抽出部で抽出したコマーシャル情報を表示するＣＭ表示部とを有するものである。
【０００５】
【発明の実施の形態】
以下、本発明に係るＣＭ表示装置および当該装置が有する機能をコンピュータに実行させるためのプログラムを格納したコンピュータ読み取り可能な記憶媒体を実施の形態に基づいて説明する。
実施の形態１
図１は、コマーシャル表示装置の構成図であり、１１は入力部、１２はデータ管理部、１３はＣＭ格納部、１４はＣＭ抽出ルール保持部、１５はＣＭ抽出部、１６はＣＭ表示部である。
入力部１１は、データを入力する。入力部１１は、例えば、キーボードやマウスなどである。
データ管理部１２は、入力部１１で入力したデータを格納する。
ＣＭ格納部１３は、コマーシャル（以下、「ＣＭ」という。）とＣＭの属性を対にしたＣＭ情報を１組以上格納する。
ＣＭ抽出ルール保持部１４は、ＣＭを抽出するためのルールを保持する。
ＣＭ抽出部１５は、ＣＭ抽出ルール保持部１４のＣＭ抽出ルールに従ってＣＭ格納部１３からＣＭを抽出する。
ＣＭ表示部１６は、ＣＭ抽出部１５が抽出したＣＭを表示する。
本実施の形態におけるＣＭ表示装置のＣＭを表示する動作について、以下の図２のフローチャートを用いて説明する。
【０００６】
ステップＳ２０１  ＣＭ抽出部１５が入力部１１から処理を終了する旨の指示が入力されたか否かを判断する。処理終了指示が入力されれば、処理を終了する。処理終了指示が入力されなければステップＳ２０２に行く。
ステップＳ２０２  ＣＭ抽出部１５は、データ管理部１２からデータを取出す。
【０００７】
ステップＳ２０３  ＣＭ抽出部１５は、ＣＭ抽出ルール保持部１４からＣＭ抽出ルールを取出す。
ステップＳ２０４  ＣＭ抽出部１５は、取出したデータと取出したＣＭ抽出ルールから表示すべきＣＭすべてをＣＭ格納部１３から抽出する。
ステップＳ２０５  ｊ＝１。
【０００８】
ステップＳ２０６  ＣＭ抽出部１５は、ＣＭ抽出部１５が有するタイマＴを０にセットする。
ステップＳ２０７  ＣＭ表示部１６は、ＣＭ抽出部１５が抽出したｊ番目のＣＭが存在するか否か判断する。存在すればステップＳ２０８に行き、存在しなければステップＳ２０1に戻る。
【０００９】
ステップＳ２０８  ＣＭ表示部１６は、ＣＭ抽出部１５が抽出したｊ番目のＣＭを表示する。
ステップＳ２０９  ＣＭ抽出部１５はタイマＴ＝６０であるか否か判断する。Ｔ＝６０であればステップＳ２１０に行き、Ｔ＜６０であればステップＳ２０９に行く。
【００１０】
ステップＳ２１０  ｊ＝ｊ＋１。ステップＳ２０６に戻る。
次に、上記説明したＣＭ表示装置のＣＭ表示動作について図３〜図５を用いて具体的に説明する。
本実施の形態におけるＣＭ表示装置は、明細書作成エディタという特許明細書を作成するエディタ（ソフトウェア）に付随しているものとする。そして、入力部１１から明細書と当該明細書のＩＰＣコードが入力されている、とする。具体的には、図３に入力部１１から入力された明細書とＩＰＣコードを示す。
【００１１】
図３は、本実施の形態で説明する明細書作成エディタであり、ユーザは明細書とＩＰＣコード等を入力する。そして、「ＣＭ」の欄は、以下に説明するような動作でＣＭを表示するための欄である。
また、ＣＭ抽出ルール保持部１４で保持されているＣＭ抽出ルールは、「ｓｅｌｅｃｔ ＣＭ  ｆｒｏｍ  ＣＭ格納部  ｗｈｅｒｅ ＩＰＣコードＩｎｃｕｌｕｄｅ ユーザ入力ＩＰＣコード」 とする。このＣＭ抽出ルールは、ＣＭ格納部１３に格納されているＣＭ情報が有するＩＰＣコード（例えば、Ｇ０６Ｆ）が明細書作成エディタ上でユーザが入力するＩＰＣコードであるユーザ入力ＩＰＣコード（例えば、Ｇ０６Ｆ １３／００）に含まれる場合に、そのＣＭ情報が合致して、当該ＣＭ情報が有するＣＭが選択される、ということを意味する。つまり、本ＣＭ抽出ルールは、ＣＭ格納部１３からユーザ入力のＩＰＣコードをキーにしてＣＭを検索する、というルールである。
【００１２】
また、図４にＣＭ格納部１３に格納されているＣＭ情報を示す。ＣＭ格納部１３には、ＣＭ（ここでは、特許事務所の宣伝内容を示す情報）とＣＭの属性（ここでは、ＩＰＣコード）が格納されている。つまり、ＣＭ格納部１３には、特許事務所が自事務所が得意とする分野をその宣伝内容と共に格納されている。
今、図３に示すデータがユーザにより入力部１１から入力され、データ管理部１２に格納されている。ＣＭ抽出部１５は、自身が持つタイマがＴ＝６０になったときにＣＭ格納部１３から抽出する。そのときに、ＣＭ抽出ルール保持部１４に保持している上記のルールを適用する。つまり、データ管理部１２で管理されているＩＰＣコード「Ｇ０６Ｆ １３／００」の「Ｇ０６Ｆ」とマッチするＣＭ情報が有するＣＭ情報をＣＭ格納部１３から取出す。
【００１３】
その結果「ＧＯ６Ｆ 関連特許は、情報処理技術に精通したＨＴ特許事務所まで！ （ＨＴ特許事務所：０７５―１２３―４５６７）」と「Ｇ０６Ｆ 関連特許は、各種技術の専門家を擁するＡＡ特許事務所まで！ 弁理士１５名（電話：０６―５５５―６６６６）」の２つのＣＭが抽出される。そして、タイマが６０ごとに切り替えてＣＭがＣＭ表示部１５によって表示されることとなる。表示されるＣＭの例を図５に示す。
【００１４】
以上説明したように、本実施の形態において、予め格納されたルールに基づいて、ユーザに適切なＣＭを選択して表示できる。特に、ユーザの入力する情報（例えば、ＩＰＣコード）からユーザの属性（例えば、情報技術関連の特許を書く者）を考慮して、そのユーザに応じたＣＭ（例えば、情報技術関連の得意な特許事務所のＣＭ）を表示できる。このようなＣＭ表示方法は、上記の実施の形態で示した明細書作成エディタのようなユーザがデータ作成するソフトウェアに利用するのが特に効果的である。ユーザがデータを作成するソフトウェアの他の例として、動画のオーサリングツールなどの各種オーサリングツールなどもある。
【００１５】
また、本実施の形態においてＣＭ抽出ルールを「ｓｅｌｅｃｔ ＣＭ  ｆｒｏｍ  ＣＭ格納部  ｗｈｅｒｅ ＩＰＣコード Ｉｎｃｕｌｕｄｅ ユーザ入力ＩＰＣコード」としたが、他のルールでも良い。他のルールとして、「ｓｅｌｅｃｔＣＭ  ｆｒｏｍ  ＣＭ格納部  ｗｈｅｒｅ ＩＰＣコード＝Ｇ０６Ｆ ｉｆ 明細書  Ｉｎｃｕｌｕｄｅ “情報”」といったルールがある。このルールは、明細書中に“情報”という語を含む場合は、ユーザはＩＰＣコード Ｇ０６Ｆの分野の特許を書いているものと考えて、ＩＰＣコードＧ０６Ｆを含むＣＭ情報が有するＣＭを抽出することを意味する。
【００１６】
また、本実施の形態において、ＣＭの切換えは時間６０毎に行ったが、他の切換え方法でも良い。他のＣＭ切換え方法としては、ユーザの入力がある毎に切り換える方法や、ユーザが特定のボタンを押下する毎に切り換える等がある。
また、本実施の形態において示したＣＭ表示装置の各機能をコンピュータに実行させるためのプログラムをフロッピーディスク、ＣＤ−ＲＯＭ、半導体記憶素子などの記憶媒体に格納しても良い。
【００１７】
【発明の効果】
以上説明したように、本発明によるコマーシャル表示装置によれば、予め格納されたルールに基づいて、ユーザに適切なＣＭを選択して表示できる。特に、ユーザの入力する情報からユーザの属性を考慮して、そのユーザに応じたＣＭを表示でき、ＣＭ効果が増大する。
【図面の簡単な説明】
【図１】本発明の実施の形態１におけるコマーシャル表示装置の構成図
【図２】本発明の実施の形態１におけるＣＭ表示装置のＣＭを表示する動作を説明するフローチャート
【図３】本発明の実施の形態１における明細書作成エディタを示す図
【図４】本発明の実施の形態１におけるＣＭ格納部に格納されているＣＭ情報を示す図
【図５】本発明の実施の形態１における表示されるＣＭの例を示す図
【符号の説明】
１１………入力部
１２………データ管理部、
１３………ＣＭ格納部、
１４………ＣＭ抽出ルール保持部、
１５………ＣＭ抽出部、
１６………ＣＭ表示部。
【図１】
0004024945.tif 000002
【図２】
0004024945.tif 000003
【図３】
0004024945.tif 000004
【図４】
0004024945.tif 000005
【図５】
0004024945.tif 000006